【事件の表示】
　特願２０１２−　６７１７２「表示装置の制御装置、表示装置の制御方法、表示装置及び電子機器」拒絶査定不服審判事件〔平成２５年１０月　３日出願公開、特開２０１３−２００３６０、請求項の数（６）〕について、次のとおり審決する。
【結　論】
　原査定を取り消す。
　本願の発明は、特許すべきものとする。
【理　由】
第１　手続の経緯　
特許出願：　平成２４年３月２３日
拒絶理由通知：　平成２７年１０月１４日
（以下、「拒絶理由１」という。発送日：同年同月２０日）
拒絶査定：　平成２８年３月１４日（送達日：同年同月２２日）
拒絶査定不服審判の請求：　平成２８年５月６日 
手続補正：　平成２８年５月６日 
拒絶理由通知：　平成２８年１０月５日
（以下、「当審拒絶理由」という。発送日：同年同月１１日）
手続補正：　平成２８年１１月７日（以下、「本件補正」という。）
意見書：　　平成２８年１１月７日
第２　本願発明
　本願の請求項１−６に係る発明は、本件補正により補正された特許請求の範囲の請求項１−６に記載された事項により特定されるものと認められるところ、本願の請求項１−６に係る発明（以下、それぞれ「本願発明１」ないし「本願発明６」という。）は以下のとおりである。
「　【請求項１】
　画素ごとに設けられた複数の第１電極と、前記複数の第１電極に対向して配置された第２電極と、前記複数の第１電極と前記第２電極との間に配置された電気光学材料と、を備え、前記第１電極への電圧の印加回数に応じて前記画素の階調が離散的に変化する表示装置の制御装置であって、
　前記画素毎の階調値を含む第１画像データを取得する画像取得部と、
　離散的に変化する前記画素の階調のうち画像の表示に用いる階調を決定するパラメーターを取得するパラメーター取得部と、
　前記第１画像データの階調数より少ない階調数に減色する場合の減色後の各階調値を前記パラメーター取得部で取得したパラメーターに応じて決定し、前記画像取得部で取得された第１画像データを、当該決定した階調値に基づいて減色した第２画像データを生成する減色部と
　を有し、
　前記パラメーター取得部は、前記パラメーターとして温度を表すデータを取得し、
　前記減色部は、前記温度が変化しても減色後の階調数を同じとし、前記第２画像データに定められた前記階調数の各階調に対し、前記パラメーター取得部が取得した温度に応じて減色後の各階調値を決定する
　表示装置の制御装置。
　　【請求項２】
　前記減色後の階調値は、前記表示装置毎に設定されていること
　を特徴とする請求項１に記載の表示装置の制御装置。
　　【請求項３】
　前記表示装置において選択可能な階調数より減色後の階調数が少ない場合、減色後の最小の階調差が、前記表示装置において選択可能な階調の最小階調差より大きいこと
　を特徴とする請求項１又は請求項２に記載の表示装置の制御装置。
　　【請求項４】
　画素ごとに設けられた複数の第１電極と、前記複数の第１電極に対向して配置された第２電極と、前記複数の第１電極と前記第２電極との間に配置された電気光学材料と、を備え、前記第１電極への電圧の印加回数に応じて前記画素の階調が離散的に変化する表示装置であって、
　前記画素毎の階調値を含む第１画像データを取得する画像取得部と、
　離散的に変化する前記画素の階調のうち画像の表示に用いる階調を決定するパラメーターを取得するパラメーター取得部と、
　前記第１画像データの階調数より少ない階調数に減色する場合の減色後の各階調値を前記パラメーター取得部で取得したパラメーターに応じて決定し、前記画像取得部で取得された第１画像データを、当該決定した階調値に基づいて減色した第２画像データを生成する減色部と、
　前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ１又は複数回印加する第１の書き込み動作を行い、前記画素の階調を前記第１階調から前記第２階調の方向へ変化させる場合には前記第１電圧とは極性が異なる第２電圧を当該画素の前記第１電極へ１又は複数回印加する第２の書き込み動作を行う書き込み部と
　を有し、
　前記パラメーター取得部は、前記パラメーターとして温度を表すデータを取得し、
　前記減色部は、前記温度が変化しても減色後の階調数を同じとし、前記第２画像データに定められた前記階調数の各階調に対し、前記パラメーター取得部が取得した温度に応じて減色後の各階調値を決定する
　表示装置。
　　【請求項５】
　画素ごとに設けられた複数の第１電極と、前記複数の第１電極に対向して配置された第２電極と、前記複数の第１電極と前記第２電極との間に配置された電気光学材料と、を備え、前記第１電極への電圧の印加回数に応じて前記画素の階調が離散的に変化する表示装置の制御方法であって、
　前記画素毎の階調値を含む第１画像データを取得する画像取得ステップと、
　離散的に変化する前記画素の階調のうち画像の表示に用いる階調を決定するパラメーターを取得するパラメーター取得ステップと、
　前記第１画像データの階調数より少ない階調数に減色する場合の減色後の各階調値を前記パラメーター取得ステップで取得したパラメーターに応じて決定し、前記画像取得ステップで取得された第１画像データを、当該決定した階調値に基づいて減色した第２画像データを生成する減色ステップと、
　前記減色ステップで生成された第２画像データが指定する階調値の階調へ前記画素の階調を変更するステップであって、前記画素の階調を第２階調から第１階調の方向へ変化させる場合には第１電圧を当該画素の前記第１電極へ１又は複数回印加する第１の書き込み動作を行い、前記画素の階調を前記第１階調から前記第２階調の方向へ変化させる場合には前記第１電圧とは極性が異なる第２電圧を当該画素の前記第１電極へ１又は複数回印加する第２の書き込み動作を行う書き込みステップと
　を有し、
　前記パラメーター取得ステップは、前記パラメーターとして温度を表すデータを取得し、
　前記減色ステップは、前記温度が変化しても減色後の階調数を同じとし、前記第２画像データに定められた前記階調数の各階調に対し、前記パラメーター取得ステップで取得した温度に応じて減色後の各階調値を決定する
　表示装置の制御方法。
　　【請求項６】
　請求項４に記載の表示装置を備える電子機器。」　
第３　原査定の理由について
１．拒絶理由１の概要（なお、記載を明確とするために「理由３」及び「引用文献１」などを、それぞれ「理由Ａ」及び「引用文献ａ」などと置き換えている。以下同様。）
Ａ．この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
Ｂ．この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
●理由Ａ，Ｂについて
・請求項　１，４−７
・引用文献等　ａ−ｂ
・備考
　引用文献ａ（特に、［請求項１］−［請求項２］，［００２７］−［００９２］，［図１］−［図１７］の記載などを参照のこと。）又は引用文献ｂ（特に、段落［００５９］−［０１３３］，［図７］−［図１８］の記載を参照のこと。）には、所定の条件に基づき、第１の画像データの階調数より少ない階調数に減少された第２の画像データを用いて表示装置を駆動するようにしてなる制御装置に関する発明が記載されている。
してみると、上記請求項に係る発明と、引用文献ａ又はｂに記載された発明とは、実質的な構成において相違しているとは認められない。
　よって、上記請求項に係る発明は、上記理由Ａ，Ｂにより特許性を有していない。
・請求項　２
・引用文献等　ｂ
・備考
　引用文献ｂには、温度を条件として、階調数を制限するようにしてなる表示装置の制御装置に関する発明が記載されている。
　してみると、上記請求項に係る発明と、引用文献ｂに記載された発明とは、実質的な構成において相違しているとは認められない。
　よって、上記請求項に係る発明は、上記理由Ａ，Ｂにより特許性を有していない。
●理由Ｂについて
・請求項　３
・引用文献等　ａ−ｄ
・備考
　表示装置毎に駆動パラメータを最適化するとの技術思想も、例えば、引用文献ｃ（全文，全図参照のこと。）又は引用文献ｄ（全文，全図参照のこと。）に示されているように周知の技術思想にすぎず、また、引用文献ａ又はｂに記載された発明において、該周知の技術思想を採用し、表示装置毎に適当な階調値を選択するような構成を想到することに特段の困難性も認められない。
　よって、上記請求項に係る発明は、上記理由Ｂにより特許性を有していない。
　　　　　　　　　　　　　＜引用文献等一覧＞
ａ．特開２０１０−２３７５１８号公報
ｂ．国際公開第２００７／１１６４３８号
ｃ．特開２００５−２６６１６２号公報（周知技術を示す文献）
ｄ．特開２０１１−０２８０７０号公報（周知技術を示す文献）
２．拒絶査定の概要
　この出願については、平成２７年１０月１４日付け拒絶理由通知書に記載した理由Ａ，Ｂによって、拒絶をすべきものです。
　なお、意見書及び手続補正書の内容を検討しましたが、拒絶理由を覆すに足りる根拠が見いだせません。
備考
●理由Ａ，Ｂ（特許法第２９条第１項第３号，特許法第２９条第２項）について
・請求項　１，３
・引用文献等　１
　出願人は、平成２７年１２月１８日付け提出の意見書において、
『５−３．理由Ａ，Ｂについて
　本願の請求項１に係る発明（以下、本願発明１と称する）は、階調を決定するパラメーターとして温度を表すデータを取得し、減色後の第２画像データに定められた階調数の各階調に対し、減色後の階調値を、取得したパラメーター（温度）に応じて決定し、決定した階調値に基づいて画像データを減色します。
　当初明細書の記載で説明すると、温度センサで取得した温度に基づいてダークグレーの階調値（Ｃ１）とライトグレーの階調値（Ｃ２）を決定します（段落００３５）。そして、決定した階調値（Ｃ１，Ｃ２）に基づいて、第１画像データを０（黒），Ｃ１，Ｃ２，２５５（白）の階調に減色し、減色後の階調値に基づいて画素へ電圧を印加します。
　ダークグレーの階調値（Ｃ１）とライトグレーの階調値（Ｃ２）を温度に応じて変更しない構成の場合、同じ階調値でも温度が変化すると表示される階調が異なることになりますが（段落００４５−００４６）、本願発明１によれば、温度に応じてダークグレーとライトグレーの階調値が異なるため（段落００４３）、温度が変化しても減色後に階調の差が生じることがなくなります（段落００４６）。』旨主張している。
　しかしながら、補正後の請求項１における「前記減色部は、前記第２画像データに定められた前記階調数の各階調に対し、前記パラメーター取得部が取得した温度に応じて減色後の各階調値を決定する」との単なる記載では、減色に応じて使用する階調値を離散的に選択することととの、文言上の相違が不明である。
　例えば、引用文献１の段落［００８７］には、「そこで上記の問題を解決するために、本実施の形態による液晶表示素子１の駆動方法では、温度が低下するに従って駆動回数（階調数）を段階的に減らす。例えば画面書き換え時間を３０秒以内に設定する場合、５〜７０℃の範囲では駆動回数を７回（６４階調）とする。０〜５℃では駆動回数を５回（１６階調）、−５〜０℃では駆動回数を４回（８階調）、−２０〜−５℃では駆動回数を１回（２階調）とする。このようにすることによって、液晶表示素子１は画面書き換え時間を３０秒以内に設定しても−２０〜７０℃の範囲で動作が可能になる。」と記載されており、温度に応じて階調数を決定した際には、該階調数の決定に伴い所定の階調値が離散的に選定されることは、技術的に明白であることから、上記請求項に係る発明と、引用文献１に記載された発明とは、文言上の構成において相違しておらず、よって、上記意見書における出願人の主張を採用し、特許とすることはできない。
　なお、駆動周波数に応じて階調値に微調整を施すような技術も、例えば、引用文献４（特に、段落［００５７］−［００６０］の記載など参照のこと。）に示されているようによく知られた技術にすぎない。
●理由Ｂ（特許法第２９条第２項）について
・請求項　２
・引用文献等　１−３
　表示装置毎に駆動パラメータを最適化するとの技術思想も、例えば、引用文献２（全文，全図参照のこと。）又は引用文献３（全文，全図参照のこと。）に示されているように周知の技術思想にすぎず、また、引用文献１に記載された発明において、該周知の技術思想を採用し、表示装置毎に適当な階調値を選択するような構成を想到することに特段の困難性も認められない。
　なお、引用文献１に記載された技術思想を、液晶表示素子と同様に低温になると応答性が低下することが周知である電気泳動表示装置の駆動おいて採用することは、当業者の通常の創作能力の発揮程度の事にすぎないことと認められる。してみると、引用文献５に記載された発明において、引用文献１に記載された技術思想を採用し、請求項４−６に係る発明を想到することに特段の困難性はない。
　また、請求項２を引用してなる請求項３に係る発明も、上記理由Ａと上記理由Ｂにおいて示した理由により、特許性を有していないと考えられる。
　　　　　　　　　　　　　　＜引用文献等一覧＞
１．国際公開第２００７／１１６４３８号
２．特開２００５−２６６１６２号公報（周知技術を示す文献）
３．特開２０１１−０２８０７０号公報（周知技術を示す文献）
４．特開２００３−１６２２６７号公報（新たに引用された文献）
５．特開２０１０−２３７５１８号公報
３．原査定の理由の判断
（１）引用文献の記載事項
ア　引用文献１
　引用文献１には、次の事項（ａ）ないし（ｃ）が図面とともに記載されている。（下線は当審による。以下同様。）
　
（ａ）
「[0001]本発明は、液晶を駆動して画像を表示する液晶表示素子及びその駆動方法並びにそれを備えた電子ペーパーに関する。」
　
（ｂ）
「[0083]また、コレステリック液晶は温度低下によって応答性が低下する。そこで、温度が低下するに従って駆動電圧パルスの幅(パルス電圧印加時間。8階調の場合は図7乃至図14に示す印加時間T1〜T4)を長くした。駆動電圧パルスの幅を長くすることによってコレステリック液晶を長時間駆動させることができるので、低温で応答性が低下しても所望の階調を表示させることができる。しかしながら、図15に示すように、温度が低下するに従って画面書き換え時間が長くなつてしまう。 
 
 [0084]上述の多階調表示方法を用いた場合、液晶表示素子1は、駆動回数が多い場合には低温での動作が問題となる。例えば、温度が10°Cの場合には液晶表示素子1 はいずれの駆動回数(階調数)でも20秒以内に画面書き換えが終了し、画面書き換え時間に大きな差はない。しかしながら、低温では駆動回数によって画面書き換え時間に大きく差が出てしまう。例えば、― 20°Cでの画面書き換え時間は、駆動回数が1 回（2階調)の場合には約30秒、4回（8階調)の場合には約 80秒、5回（16階調)の場合には約110秒、7回（64階調）の場合には約160秒となる。駆動回数が多い場合、低温では画面書き換えに非常に長い時間を要する。 
 
 [0085]従って、駆動回数が多い程、高画質の画像が表示できるものの、低温では画面書き換え時間が長くなり実用的でなくなるという問題がある。駆動回数が7回(64階調表示）の場合、液晶表示素子1の画面書き換え時間は、20°Cでは約10秒、10°Cでは約20秒、5°Cでは約30秒 0°Cでは約40秒、5°Cでは約60秒、10°Cでは約85 秒、―15°Cでは約120秒、20秒では約160秒である。5°C以下では画面書き換えを開始してから30秒経過しても画面書き換えが終了せず、良好な表示を得ることができない。従って、駆動回数を7回に設定し、例えば画面書き換えを30秒以内に行う ように設定した場合、液晶表示素子1は5〜70°Cの範囲でしか動作できなくなる。 
 
[0086]一方、駆動回数が少ない回数、例えば1回（2階調）に設定された液晶表示素子1 は短時間で画面を書き換えられるものの、階調数が少なく高画質の画像が表示できないという問題がある。 
 
[0087]そこで上記の問題を解決するために、
本実施の形態による液晶表示素子1の駆動方法では、温度が低下するに従って駆動回数 (階調数)を段階的に減らす。
（ｃ）
「[0092]次に、温度変化に基づいて駆動回数 (階調数)を変える場合の液晶表示素子1の画像処理及び駆動装置並びに画像処理及び駆動方法について図16を用いて説明する。図16は、本実施の形態による液晶表示素子1の画像処理方法を示すシステム・ブロック図である。図16に示すように、
液晶表示素子1は、所定の駆動回数で駆動して所望の階調が得られる液晶層3b、3g、3r (図 16では不図示)を備え、当該階調に基づく画像を表示するB、G、R表示部6b、6g、6rと、外部環境に基づいて駆動方法を決定することができる階調変換制御回路 (駆動制御部) 61と、決定された駆動方法で液晶層3b、3g、3rを駆動する駆動部24とを有している。
 
 [0093]階調変換制御回路61には、
液晶表示素子1近傍の外気温度 (外部環境)を測定する温度センサ (温度検知手段）65
温度センサ65は、測定した外気温度を階調変換制御回路61に出力する。階調変換制御回路61は、当該外気温度に基づいて、階調数及び階調数毎に決められた駆動回数を決定する。
 
 [0094]また、
階調変換制御回路61には、不図示の外部システムからピクセル毎の表示データが入力されるようになっている。
 
 [0095]階調変換制御回路61にはデータ変換部63が接続されている。
データ変換部63では、温度センサ65での計測結果に基づいて階調変換制御回路61が決定した駆動回数に従って、外部システムから順次入力される64階調の表示データ（階調値)を当該駆動回数分の駆動電圧データに変換する。データ変換部63は、2階調データ変換部63aと、8階調データ変換部63bと、16階調データ変換部63cと、64階調データ変換部63dとを有している。
 
 [0096]階調変換制御回路61は、データ変換部63の中から、決定された階調数及び駆動回数に対応した階調数のデータ変換部63a〜63dのいずれか1つを選択し、当該データ変換部63a〜63dのいずれか 1つに表示データを出力する。 
 
 [0097]データ変換部63にはスキャンデータメモリ部71が接続されている。スキャンデータメモリ部71は第1〜第7スキャンデータメモリ71a〜71gを有している。スキャンデータメモリ部71は、データ変換部63によって生成された駆動電圧データを一時的に格納する。本例では、第1〜第7スキャンデータメモリ71a〜71gのそれぞれは、240行320列のBピクセル12b (1,l)〜12b (240, 320)、Gピクセル12g (l,l)〜12g (240,320)、Rピクセル12r (l,l)〜12r (240,320)のそれぞれに対応する240×320×3個分の駆動電圧データを格納することができるようになつている。スキャンデータメモリ部71は制御回路23に接続されている。 」
　
　上記記載（ａ）ないし（ｃ）、及び図１６の記載から、引用文献１には、次の発明が記載されていると認められる。
　
「液晶層を備え、階調変換制御回路61が決定した駆動回数に従って、外部システムから順次入力される64階調の表示データ（階調値)を当該駆動回数分の駆動電圧データに変換し、データ変換部63は、2階調データ変換部63aと、8階調データ変換部63bと、16階調データ変換部63cと、64階調データ変換部63dとを有している液晶表示素子であって、
　外部システムからピクセル毎の64階調の表示データが入力される階調変換制御回路61と、
　液晶表示素子1近傍の外気温度 (外部環境)を測定する温度センサ (温度検知手段）65と、
　温度が低下するに従って駆動回数 (階調数)を段階的に減らすように、温度センサ65での計測結果に基づいて階調変換制御回路61が決定した駆動回数に従って、外部システムから順次入力される64階調の表示データ（階調値)を当該駆動回数分の駆動電圧データに変換するデータ変換部63と、
　を有する
　液晶表示素子。」（以下「引用発明」という。）
イ　引用文献２
　引用文献２には、次の事項（ａ）ないし（ｂ）が図面とともに記載されている。
（ａ）
「【０００１】
  本発明は、表示システム、表示装置、書き込み装置及び表示体の制御方法をコンピュータに実行させるためのプログラムに係り、特に表示体を備える表示装置と、この表示体に電力を供給して表示体に画像を書き込む書き込み装置とを別体として構成した表示システム、表示装置、書き込み装置及び表示体の制御方法をコンピュータに実行させるためのプログラムに関する。」
（ｂ）
「【０００７】
  以上の課題を解決するため、本発明の表示システムは、表示されている画像を電力の供給を受けることなく維持できる記憶性の表示体を備える表示装置と、該表示装置に接続され、表示装置に電力や書き込みデータを供給する書き込み装置と、を含む表示システムであって、
前記表示体を駆動する場合の駆動の形態に関する表示制御情報を、前記書き込み装置に識別させるための駆動形態識別手段と、前記駆動形態識別手段によって識別された表示制御情報に基づいて前記表示体に電力を供給する電力供給手段
【０００８】
  このような発明によれば、表示体を駆動する場合の駆動の形態に関する表示制御情報を書き込み装置が識別し、この表示制御情報に基づいて表示体に電力供給することができる。このため、書き込み装置が記憶性表示体の駆動形態の相違によらず常に最適な条件で表示体に電力を供給し、書き込み特性の違う記憶性表示体に１つの書き込み装置で高品質の画像を書き込むことができる。」
　
ウ　引用文献３
　引用文献３には、次の事項（ａ）ないし（ｂ）が図面とともに記載されている。
（ａ）
「【０００１】
  本発明は、集積回路装置、電子機器及び電子機器の製造方法等に関する。」
（ｂ）
「【００５１】
  電気光学装置２００を含む電子機器（例えばパネルモジュールを有する電子ブック、携帯型情報端末等）の製造時（組立時）においては、複数のウェーブフォーム情報の中から、情報レジスター５２に記憶されるウェーブ選択情報により選択（指示）されたウェーブフォーム情報が情報メモリー１１０にロードされる。そして
制御部３０は、電子機器の実動作時（動作時）に、情報メモリー１１０から読み出されたウェーブフォーム情報に基づいて、電気光学装置２００の表示制御を行う。
　
エ　引用文献４
　引用文献４には、次の事項（ａ）ないし（ｂ）が図面とともに記載されている。
（ａ）
「【０００１】
【発明の属する技術分野】本発明は、表示駆動回路、電気光学装置、電子機器及び表示駆動方法に関する。」
（ｂ）
「【００５７】そこで信号ドライバ１４では、ＦＲＣにおいて、高画質表示を行う場合と低画質表示を行う場合とを区別し、
変更可能な階調の色数に応じてフレーム周波数を切り換える手段を備える。
【００５８】例えば第１のモードは、第１の色数の階調データに基づいて、フレーム周波数が第１の周波数ｆ１の高画質の表示モードとし、第２のモードは、第１の色数より少ない第２の色数の階調データに基づいて、フレーム周波数が第１の周波数より低い第２の周波数ｆ２の低画質の表示モードとすることができる。
【００５９】またフレーム周波数に依存して特定の階調のジッターレベルが大きくなってしまうことがあるため、階調の色数を変更する際に、他方のモードで用いた階調パターンを用いると表示品位が劣化する場合がある。そこで信号ドライバ１４は、階調特性の直線性をずらす手段としての階調パレット回路２６により、各階調に、ジッターレベルのより小さなものを選択して設定できるようになっている。
【００６０】このように構成し、第１及び第２のモードを適宜切り換えるようにすることで、再現性に優れた高画質画像を表示すべき場合と、そうでない場合とを区別して、階調の色数を適宜変更して、例えば図５に示した階調特性の直線性をずらして、それぞれの色数に最適なフレーム周波数に切り換え、表示品位の維持と低消費電力化とを両立させる。」
　
オ　引用文献５
　引用文献５には、次の事項（ａ）ないし（ｃ）が図面とともに記載されている。
　
（ａ）
「【０００１】
  本発明は、利用者の指示に従って、不揮発性表示部の表示画面上の画像をページ単位で書き換え、表示する画像表示装置に関する。
【背景技術】
【０００２】
  従来の画像表示装置として、２つの電極間に黒色表示媒体及び白色表示媒体を移動可能に収容し、各表示媒体の移動により表示色が変化する
電気泳動ディスプレイ
（ｂ）
「【００３０】
  図３を参照して、不揮発性表示部２の内部構成を説明する。図３は、図２のＡ−Ａ線矢視方向断面図であり、連続した複数の画素空間２０を示している。図３における上方を不揮発性表示部２の上側とし、図３における下方を不揮発性表示部２の下側とする。基板２１が、不揮発性表示部２の底面に配置されており、
画素電極２２が基板２１上に配列されている。各画素空間２０が、画素電極２２の配置位置に合わせて、画素電極２２上に構成される。仕切板２３が、画素電極２２と透明電極２７との間を、多数の画素空間２０に区切る。各画素空間２０には、白色帯電粒子２４と黒色帯電粒子２５とが混在しており、分散媒２６が封入されている。
透明電極２７が、画素電極２２に対向する。
不揮発性表示部２において、黒色又は白色を表示させるために印加される電圧と逆極性の電圧が印加されることにより、各粒子２４、２５が各画素空間２０の中間位置に移動し、白色と黒色との混色による複数階調の色の表示が可能である。
（ｃ）
「【００４７】
  書換パルス電圧８３は、シェイキングパルス電圧８１の印加によって移動可能となった粒子を、両電極２２、２７へ到達させるためのパルス電圧である。すなわち、移動可能になった粒子は、両電極２２、２７の間に新たに印加された書換パルス電圧８３により、両電極へ到達することができる。書換パルス電圧８３は、不揮発性表示部２の画素の表示状態を変化させるためのパルス電圧である。書換パルス電圧８３が画素電極２２に印加されることにより、表示データに従った色を表示させるために、粒子が移動する。画素電極２２に正の書換パルス電圧が印加されると、白色帯電粒子２４が画素電極２２近傍に移動し、黒色帯電粒子２５が透明電極２７近傍に移動する。その結果、不揮発性表示部２には黒「３ａ」が表示される。
画素電極２２に正の書換パルス電圧が印加され、不揮発性表示部２に黒「３ａ」が表示された後、続けて負の書換パルス電圧が、正の書換パルス電圧が印加された時間より短い時間、画素電極２２に印加されると、黒色帯電粒子２５の一部が両電極間の中間に移動する。その結果、不揮発性表示部２には、濃いグレー「２ａ」が表示される。
（２）対比
　本願発明１と引用発明とを、主たる構成要件毎に、順次対比する。　
　まず、引用発明における「液晶層」は、本願発明１における「電気光学材料」に相当する。また引用発明においては例えば64階調の表示データが駆動回数に従って2階調データに変換されており、これは電圧の印加回数に応じて画素の階調が離散的に変化するものといえるし、引用発明の液晶表示素子のうち「階調変換制御回路61」、「データ変換部63」及び「温度センサ (温度検知手段）65」を含む構成は、液晶表示素子の制御装置であるといえる。そうすると、引用発明の「液晶層を備え、階調変換制御回路61が決定した駆動回数に従って、外部システムから順次入力される64階調の表示データ（階調値)を当該駆動回数分の駆動電圧データに変換し、データ変換部63は、2階調データ変換部63aと、8階調データ変換部63bと、16階調データ変換部63cと、64階調データ変換部63dとを有している液晶表示素子」と、本願発明１の「画素ごとに設けられた複数の第１電極と、前記複数の第１電極に対向して配置された第２電極と、前記複数の第１電極と前記第２電極との間に配置された電気光学材料と、を備え、前記第１電極への電圧の印加回数に応じて前記画素の階調が離散的に変化する表示装置の制御装置」とは、「電気光学材料を備え、電圧の印加回数に応じて画素の階調が離散的に変化する表示装置の制御装置」である点で共通するといえる。
　また、引用発明における「外部システムからピクセル毎の64階調の表示データが入力される階調変換制御回路61」は、本願発明１における「前記画素毎の階調値を含む第１画像データを取得する画像取得部」に相当し、引用発明における「液晶表示素子 1近傍の外気温度 (外部環境)を測定する温度センサ (温度検知手段）65」は、（温度センサ65での計測結果に基づいて駆動回数が決定されるものであるから）本願発明１における「離散的に変化する前記画素の階調のうち画像の表示に用いる階調を決定するパラメーターを取得するパラメーター取得部」に相当する。
　さらに、引用発明においては例えば64階調の表示データが温度センサ65での計測結果に基づいて階調変換制御回路61が決定した駆動回数に従って2階調データに変換されているのであるから、外部システムからの64階調の表示データをより少ない2階調に減色する場合の減色後の階調値が温度センサ65での計測結果に基づいて決定されているといえる。そうすると、引用発明の「温度が低下するに従って駆動回数 (階調数)を段階的に減らすように、温度センサ65での計測結果に基づいて階調変換制御回路61が決定した駆動回数に従って、外部システムから順次入力される64階調の表示データ（階調値)を当該駆動回数分の駆動電圧データに変換するデータ変換部63」は、本願発明１の「前記第１画像データの階調数より少ない階調数に減色する場合の減色後の各階調値を前記パラメーター取得部で取得したパラメーターに応じて決定し、前記画像取得部で取得された第１画像データを、当該決定した階調値に基づいて減色した第２画像データを生成する減色部」に相当する。
　してみると、両者の一致点及び相違点は、以下のとおりである。
　
（一致点）
「電気光学材料を備え、電圧の印加回数に応じて画素の階調が離散的に変化する表示装置の制御装置であって、
　前記画素毎の階調値を含む第１画像データを取得する画像取得部と、
　離散的に変化する前記画素の階調のうち画像の表示に用いる階調を決定するパラメーターを取得するパラメーター取得部と、
　前記第１画像データの階調数より少ない階調数に減色する場合の減色後の各階調値を前記パラメーター取得部で取得したパラメーターに応じて決定し、前記画像取得部で取得された第１画像データを、当該決定した階調値に基づいて減色した第２画像データを生成する減色部と
　を有し、
　前記パラメーター取得部は、前記パラメーターとして温度を表すデータを取得する、
　表示装置の制御装置。」　
　
（相違点）
　相違点１
　本願発明１においては、「前記減色部は、前記温度が変化しても減色後の階調数を同じとし、前記第２画像データに定められた前記階調数の各階調に対し、前記パラメーター取得部が取得した温度に応じて減色後の各階調値を決定する」とされているのに対し、引用発明は「温度センサ65での計測結果に基づいて階調変換制御回路61が決定した駆動回数に従って、外部システムから順次入力される64階調の表示データ（階調値)を当該駆動回数分の駆動電圧データに変換」されており、温度の変化に応じて減色後の階調数が変化するものである点。
　相違点２
　本願発明１は、「画素ごとに設けられた複数の第１電極と、前記複数の第１電極に対向して配置された第２電極」とを有しており、その「前記複数の第１電極と前記第２電極との間に」電気光学材料が配置され、また「前記第１電極へ」電圧の印加がなされるとされているのに対し、引用発明はそのような電極構造を有していない点。
（３）判断
　上記相違点１について検討する。
　相違点１の構成を引用発明は有しておらず、また引用文献１の記載から自明であるともいえない。相違点１は、温度に応じて各階調値を決定する際に「温度が変化しても」「階調数を同じと」するものといえるが、これに対して引用発明は、上記のように「温度が低下するに従って駆動回数 (階調数)を段階的に減らす」発明であって、階調数を同じままとする思想とは相反するものといえる（引用発明において64階調のデータが64階調のままとされる場合は、温度に応じた減色も行われない）。したがって、引用発明に対して「温度が変化しても」「階調数を同じと」する構成を組み合わせることには阻害要因があるともいえる。
　また、上記引用文献２ないし５にも、相違点１に係る構成は記載も示唆もされていない。
　そして本願発明１は、相違点１に係る構成を具備することによって、「減色後の階調値を、パラメーターに基づいて、離散的に変化する画素の階調値に対応した階調値に近づけることができるため、減色後の階調と、画素で表示される階調との差を抑えることができる。」（本願明細書、段落【０００６】）という新たな効果を奏するものである。
　したがって、本願発明１は、引用発明及び引用文献２−５に記載の技術事項に基づいて、当業者が容易に発明をすることができたとはいえない。
（４）小括
　したがって、本願発明１は、当業者が引用発明及び技術事項に基づいて容易に発明をすることができたとはいえない。本願発明４及び５は、本願発明１の技術事項を実質的に全て含む表示装置及び表示装置の制御方法の発明であるから、同様の理由により、当業者が引用発明及び引用文献２−５に記載の技術事項に基づいて容易に発明をすることができたとはいえない。
　また、本願発明２，３，６は、本願発明１または４をさらに限定したものであるので、本願発明１，４と同様の理由により、当業者が引用発明及び引用文献２−５に記載の技術事項に基づいて容易に発明をすることができたとはいえない。
　よって、原査定の理由によっては、本願を拒絶することはできない。
第４　当審拒絶理由について
１．当審拒絶理由の概要
　本件出願は、特許請求の範囲の記載が下記の点で不備のため、特許法第３６条第６項第２号に規定する要件を満たしていない。 
 　 
 　　　　　　　　　　　　　　　　　記 
 　 
　請求項１，４，５において、 
「・・・前記温度が変化しても減色後の階調数を減色前と同じとし、」（下線は当審による。） 
　とあるが、階調数が同じままであれば減色とならず、上記記載の意味が不明瞭である。 
２．当審拒絶理由の判断
（１）本件補正によって、本願の請求項１，４，５の「・・・前記温度が変化しても減色後の階調数を減色前と同じとし、」なる記載は「・・・前記温度が変化しても減色後の階調数を同じとし、」と補正された。このことにより、請求項１，４，５に係る発明は明確となった。
　よって、当審拒絶理由は解消した。
第５　むすび
　以上のとおり、原査定の理由によっては、本願を拒絶することはできない。
　また、他に本願を拒絶すべき理由を発見しない。
　よって、結論のとおり審決する。